(57)【特許請求の範囲】
【請求項１】
袖ぐりのある衣服において調節紐を衿ぐりの一部または全体に付加し、前記調節紐は係止部を有して成り、調節紐を付加した衿ぐりの一部が袖ぐりの一部を形成し、幼児から成人までの体型に対応した衿ぐりの大きさの紐の係止位置に前記衣服の衿ぐりのギャザー分量を自在に変化させ係止することを特徴とする衣服。
【発明の詳細な説明】
【技術分野】
【０００１】本発明は、成長する子供、様々な体型に合わせてサイズを変えられる衣服である。
【背景技術】
【０００２】従来の衣服には、調節具を使用して体型に合わせて寸法を変化させる機能を有するものがある。（例えば、特許文献１参照。）【０００３】従来の衣服は、ゴムの長さを調節することにより体型に合わせて寸法を変化させる機能を有するものがある（例えば、非特許文献１参照。）【０００４】従来の衣服は、釦穴のあるゴム紐（例えば、非特許文献２参照。）を使用することにより、体型に合わせて寸法を変化させる機能を有するものがある。（例えば、非特許文献３参照。）【０００５】従来の衣服は、着丈をつまむことにより体型に合わせて寸法を変化させる機能を有するものがある。（例えば、非特許文献４参照。）
【先行技術文献】
【特許文献】
【０００６】
【特許文献１】  特開２０１１−１６４０  公報
【非特許文献】
【０００７】
【非特許文献１】  株式会社アビバーレ  パウブラウス  衿ぐりと袖口のゴムの調節のできるブラウス  詳細  インターネットページ  ｈｔｔｐ：／／ｗｗｗ．ａｖｉｖａｒｅ．ｃｏｍ／ＧＯＯＤＳＤＥＴＡＩＬ−４８１  参照
【非特許文献２】  ボタンホールゴム  川村製紐工業株式会社  詳細  インターネットページ  ｈｔｔｐ：／／ｗｗｗ．ｓｅｉｃｈｕ．ｃｏ．ｊｐ／ｋｉｎｔｅｎｍａ／ｂｏｏｋ＿ｓｗｆ．ｈｔｍｌ？ｓｔａｒｔｐａｇｅ＝１２  参照
【非特許文献３】  産前  マタニティ定番レギンス・トレンカ  株式会社  千趣会  詳細  インターネットページ  ｈｔｔｐ：／／ｗｗｗ．ｂｅｌｌｅｍａｉｓｏｎ．ｊｐ／ｅｐ／ｓｒｖｌｔ／ＥＰＦＢ００／ＥＰＦＢ０００５／ｄＰｒｏｄＤｔｌＳｈｏｗ？ＢＥＬＮ＿ＳＨＯＰ＿ＫＢＮ＝１００＆ＫＡＴ＿ＢＴＧＯ＝７９５５８１＿３１１＿２０１５＿Ｃ  参照
【非特許文献４】  着物  日本の伝統的な民族衣装
【非特許文献５】  着物サイズの目安―ｗａｈｕｋｕ．ｃｏｍ  原田染物店  詳細  インターネットページ  ｈｔｔｐ：／／ｗｗｗ．ｗａｈｕｋｕ．ｃｏｍ／ｆｒｅｅ＿９＿９．ｈｔｍｌ  参照
【発明の概要】
【発明が解決しようとする課題】
【０００８】以上に述べたように従来の衣服において体型に合わせて寸法を変化させる機能を有するものが存在するが、（特許文献１参照。）寸法変化は少なく、非特許文献１のブラウスにおいても成人女性Ｍ〜Ｌサイズでの寸法変化である。また、非特許文献２のレギンスにおいても、成人女性の産前産後のサイズでの寸法変化である。【０００９】非特許文献４の着物は腰あげをすることによりサイズ調節が可能であるが、許容範囲は身長差１０センチ前後までである。（非特許文献５参照。）【００１０】本発明の衣服は、成人の体型変化だけでなく、体型の異なる例えば一般的に幼児の場合においては身長約８０センチと考えられ、成人の場合においては身長約１７０センチぐらいまでの体型でも自在に寸法を変化させ着用できる衣服を提供するものである。【００１１】子供の成長度合いに対応させて衣服を新調するコストは計り知れない。また、記念日など特別な日に着用する服は、着用頻度が少なく、毎年新しく購入すると服の枚数が増え制限のある保管場所に収納することが困難となる。
本発明は成長する子供、体型に合わせてサイズを変えられる衣服を提供するものである。
【課題を解決するための手段】
【００１２】そして本発明の衣服は上記目的を達成するために、衣服１において調節紐５を衿ぐり２の一部または全体に付加し、前記調節紐は係止部を有して成り、幼児から成人までの体型に対応した衿ぐり２の大きさの紐の係止位置に前記衣服１の衿ぐり２のギャザー分量を自在に変化させ係止することができる機能を構成したものである。【００１３】上記の課題解決手段による作用は次の通りである。すなわち、調節紐の衿ぐり２においての有効部分の長さを３０センチ〜９０センチと大きく調節することにより衿ぐり２にギャザーが寄せられ、衣服１の機能を損なうことなく衿ぐり２の大きさが調節される。成長する過程において幼児の場合は着丈が長くワンピースになり、成人の場合は着丈が短くなりブラウスとなるが、本発明の衣服１の着丈に対応させてスカート、パンツ等を組み合わせ、成長の変化を楽しむ事が出来る。【００１４】また、調節紐５に係止部を有することで衣服１の衿ぐり２においての有効部分を自在に変化することができるので、サイズを調節する際に再び縫い糸を外し縫製することなく自在に係止位置を変えることができるものである。【００１５】また、衿ぐり２の大きさを調節することによりギャザー分量は変化するが、幼児においてのギャザー分量４は分量が多く子供服らしいデザインとなり、成人のときは前記ギャザー分量が運動量となるため成人においてのギャザー分量２は分量が少なくなりシンプルに大人服らしいデザインとなる。
【発明の効果】
【００１６】上述したように本発明の衣服１は、成長する子供、様々な体型に合わせてサイズを変えられる衣服を提供するものである。【００１７】体型の異なる例えば一般的に幼児の場合においては身長約８０センチと考えられ、成人の場合においては身長約１７０センチぐらいまでの体型でも着られる。従って毎年改たに衣服を新調するコストがかからなくなる。また、本発明の衣服は一枚で成長する体型に対応するので同保管場所に保管することができる。【００１８】成長する過程において同じ衣服を着る事によって衣服と体とのバランスの変化で成長を分かりやすく視覚で捉える事ができる。【００１９】産まれて間もない乳幼児でも、足が隠れるロングドレスとして着用することができる。
出産後の退院時のセレモニードレスとして着用することにより、産まれてすぐから着用することができる。【００２０】親子や兄弟姉妹で同じデザインの服を着る事ができる。
【図面の簡単な説明】
【００２１】
【図１】本発明の衣服１の作図方法の例  実線  本発明の衣服１の作図  破線  成人原型  一点破線  幼児原型
【図２】調節紐５と衿ぐり２始末の例  衿ぐり２内側の調節についての説明図である。
【図３】調節紐５と衿ぐり２始末の例  衿ぐり２表側の調節についての説明図である。
【図４】衿ぐり２によるサイズの変化を示した説明図である。
【図５】着用時のイメージを示した説明図である。
【図６】デザイン変化させた時の着用時のイメージを示した説明図である。
【発明の実施するための形態】
【００２２】以下、本発明の衣服の実施方法の形態を図１〜図６に基づいて説明する。
【００２３】図１に示したように、成人の原型より小さくならないよう、また運動量を確保するために衿ぐり２に成人においてのギャザー分量３となるゆとりを入れ、成人が着用した時に充分な寸法を保持する。また、幼児が着用した時に増える幼児においてのギャザー分量４がバランスの良い分量である為に成人ギャザー分量は最小限にとどめる。
図１での原型は、女性用、男性用等、種々のものが考えられる。ここでは９号規格の婦人用と、身長８０センチの幼児用のおおまかな形を示している。
【００２４】衿ぐり２を三つ折り、見返し等、で挿通可能な形状にし、中に調節する機能を有した調節紐５を通してギャザーを形成し、前記調節紐５の衿ぐり２においての有効部分の長さを幼児の時は例えば３０センチと短く、成人の時は例えば９０センチと長く調節する事によりギャザー分量を調節し、寸法を変える機能を持たせる。
【００２５】以下、図２の解説である。衿ぐり２は三つ折始末にして挿通可能にし調節紐５を通し、前記三つ折の内側にある穴６から調節紐５を引き出し、体型に合わせて前記調節紐５に付加した釦穴７と衣服衿ぐり２に付加した釦８を止めることにより衿ぐり２の長さを変え、幼児から成人までの体型に対応した係止位置にする。このとき係止部となる釦穴７に身長のサイズ表記を印字すると調節する目安となる。
【００２６】以下、図３の解説である。衿ぐり２は見返し始末にして挿通可能にし調節紐５を通し、衿ぐり２表側にある穴６から調節紐５を引き出し、体型に合わせて結び目９例えば蝶々結び等を作ることにより衿ぐり２の長さを変え、幼児から成人までの体型に対応した係止位置にする。このとき、身長に応じて結び目に使用する長さを表記したものを衣服に添付すると調節する目安となる。
肩部分は身頃から出した調節紐を肩紐として利用することにより、袖なしの型のデザイン等も可能となる。図６は図３を着用したものである。
【００２７】上記構成の衣服１の衿ぐり２の寸法の変化によるサイズの変化を図４に示す。
衿ぐりのみの寸法変化となるので、身頃中心の長さ１０袖の長さ１１は同寸である。
【００２８】以下、上記構成の衣服１を着用するにあたっての効果について説明する。調節紐５の有効部分の長さを調節することにより衿ぐり２にギャザーが寄せられ、衣服１の機能を損なうことなく衿ぐり２の大きさが調節される。図５に示したように幼児の場合は着丈が長くワンピースになり、成人の場合は着丈が短くなりブラウスとなる。以上のように、本発明の衣服は同じ衣服を幼児から成人まで利用することができるものである。
【００２９】成人と幼児での衿ぐり２寸法差はデザインにより変化するが、例えば４０〜６０センチ程の寸法差になるので、幼児が着用する場合、衿ぐりに多くのギャザーが入る為、生地は厚みの出ないもの、例えば薄手の綿ローン、薄手のサテン、ジョーゼット等、で作成するのが好ましい。
【００３０】記念日に着用する特別な衣服として販売する場合は裾にスカラップレース刺繍などの飾りが施されている生地を使用して作成すると華やかになる。
【００３１】調節紐５の先端を表に出して蝶々結びをすることによりその結び目９を衣服のデザインとして使用することができる。この場合、成長する過程において前記蝶々結びの大きさで成長の変化を見ることができる。
【産業上の利用可能性】
【００３２】本発明をもとに、袖の形状や裾の形状、使用する生地などを変化させる事により種々なデザインの物を生産することが可能である。【００３３】本発明と同素材のパンツ、スカートを作成し、組み合わせるための商品として販売することができる。
【符号の説明】
【００３４】１衣服
２衿ぐり
３成人においてのギャザー分量
４幼児においてのギャザー分量
５調節紐
６調節紐を出す穴
７釦穴
８釦
９結び目
１０身頃中心の長さ
１１袖の長さ
【要約】
【課題】従来のサイズ調節できる衣服は、対応できるサイズの範囲がせまく限られており、幼児から成人まで着用に利用することができないという問題があった。
【解決手段】衣服において係止部を有する調節紐を衿ぐりの一部または全体に付加して構成をし、前記調節紐の有効部分の長さを大きく調節することにより衿ぐりにギャザーが寄せられ、衣服の機能を損なうことなく幼児から成人までの寸法に対応した衿ぐりの大きさに自在に調節される。成長する過程において幼児の場合は着丈が長くワンピースとして、成人の場合は着丈が短くなりブラウスとして着用に利用することができる。
【選択図】図４【図１】
0006034518.tif 000002
【図２】
0006034518.tif 000003
【図３】
0006034518.tif 000004
【図４】
0006034518.tif 000005
【図５】
0006034518.tif 000006
【図６】
0006034518.tif 000007